(57)【要約】【課題】型抜き用の孔をなくすべく２部材構成として球検出センサの電磁波シールド性を向上し、かつ何れか一方を共有部品として再利用する。【解決手段】入賞装置４９を入賞装飾部１０２とセンサホルダ部１０４との２部材構成とし、球検出センサ１１６をセンサホルダ部１０４側に保持することで、２部材構成による不具合であった再利用部品の時の無駄を省くことができる。また、一体化することによるデザイン上の自由度の制限並びに電磁波シールド性の低下を解消することができる。すなわち、２種類の従来構造のそれぞれの不具合を解消することができる。【選択図】        図４
2004222769.tif 000002
【特許請求の範囲】
【請求項１】
遊技盤表側に設けられ、当該遊技盤を装飾すると共に、遊技球が入賞する入賞口が設けられており、前記遊技盤面に沿って落下してくる遊技球を遊技盤裏側へ案内する第１の案内路を備えた入賞装飾部と、
前記入賞装飾部に対して前記遊技盤裏側から着脱可能とされ、装着状態で前記第１の案内路と連続する第２の案内路を備えると共に、当該第２の案内路の途中で前記遊技球の通過を検出する球検出センサが取付けられたセンサホルダ部と、を有する遊技機用入賞装置。
【請求項２】
前記遊技盤は盤面が鉛直方向に向けられており、前記第１の案内路が緩斜面のスロープによって遊技球を前記遊技盤裏側へ案内し、前記第２の案内路が略垂直に遊技球を案内することを特徴とする請求項１記載の遊技機用入賞装置。
【請求項３】
前記センサホルダ部には、前記球検出センサから取り出される信号線を、前記遊技盤の裏面側と対向する端面から反対側の端面に取り回した状態で保持するフック部が設けられていることを特徴とする請求項１又は請求項２記載の遊技機用入賞装置。
【発明の詳細な説明】
【０００１】
【発明の属する技術分野】
本発明は、遊技盤を装飾すると共に、遊技球の入賞口が設けられ、当該入賞口への入賞を電気的に検出する球検出センサが取付けられた遊技機用入賞装置に関するものである。
【０００２】
【従来の技術】
従来より、遊技機、特にパチンコ機において、遊技盤の適宜箇所に、入賞装置が設けられている。入賞装置には、球検出センサが装着されており、入賞装置の入賞口から入賞したパチンコ球は所定の案内路を通過している途中で、当該球検出センサによって検出され、電気的に入賞の有無を判別することができる構造となっている。
【０００３】
一般的な入賞装置は、鉛直方向に落下して入賞口に入賞するパチンコ球を略水平状態に方向転換して遊技盤の裏面側へ案内する案内部が設けられ、これを隠すように前面に装飾部が取付けられた構造となっている（特許文献１参照）。
【０００４】
案内部におけるパチンコ球を鉛直方向に案内する領域には、球検出センサが取付けられている。この球検出センサは、案内部に一体形成されたフック状のアームによって保持されるようになっている。
【０００５】
【特許文献１】
特開平８−１８７３３号公報
【０００６】
【発明が解決しようとする課題】
しかしながら、特許文献１では、案内部と装飾部とはセットとして設けられており、何れか一方のみを交換するようなことはできず、設計変更等があった場合には、案内部と装飾部とを共に交換しなければならない。
【０００７】
これを解消するために、案内部と装飾部とを一体化することも考えられるが、一体化すると装飾部側に前記アーム等の型抜き用の孔が必要となってしまい、この孔を隠すためにシール等を貼らざるを得ないというデザイン上の制限が発生する。
【０００８】
また、球検出センサをシールドするため、装飾部や案内部をメッキしていたが、孔が存在することで、このシールド性が低下し、周囲の電磁波により球検出センサが誤動作する可能性が高い。
【０００９】
本発明は上記事実を考慮し、型抜き用の孔をなくすべく２部材構成として球検出センサの電磁波シールド性を向上し、かつ何れか一方を共有部品として再利用することができる遊技機用入賞装置を得ることが目的である。
【００１０】
【課題を解決するための手段】
請求項１に記載の発明は、遊技盤表側に設けられ、当該遊技盤を装飾すると共に、遊技球が入賞する入賞口が設けられており、前記遊技盤面に沿って落下してくる遊技球を遊技盤裏側へ案内する第１の案内路を備えた入賞装飾部と、前記入賞装飾部に対して前記遊技盤裏側から着脱可能とされ、装着状態で前記第１の案内路と連続する第２の案内路を備えると共に、当該第２の案内路の途中で前記遊技球の通過を検出する球検出センサが取付けられたセンサホルダ部と、を有している。
【００１１】
請求項１記載の発明によれば、入賞装飾部とセンサホルダ部とを別部材とすることで、入賞装飾部の装飾面に型抜き用の孔等が不要となり、装飾面のデザインの自由度を増すことができる。また、球検出センサを第１の案内路の入り側である入賞口近傍ではなく、この第１の案内路に連続するセンサホルダ部側の第２の案内路に設けたため、例えば、入賞装飾部を交換する場合に、球検出センサを保持しているセンサホルダ部は継続して使用することができる。
【００１２】
請求項２に記載の発明は、前記請求項１に記載の発明において、前記遊技盤は盤面が鉛直方向に向けられており、前記第１の案内路が緩斜面のスロープによって遊技球を前記遊技盤裏側へ案内し、前記第２の案内路が略垂直に遊技球を案内することを特徴としている。
【００１３】
請求項２に記載の発明によれば、球検出センサの配置は、遊技球が自重で落下する領域であることが検出精度から見て望ましい。そこで、遊技盤の盤面が鉛直方向にむけられていることが前提で、第１の案内路では、遊技球を緩斜面のスロープで案内して遊技盤の裏側へ送る。その後、センサホルダ部では、遊技球を受け取った後、その案内移動方向を鉛直方向に方向転換する。この鉛直方向への移動、すなわち落下時に球検出センサによって遊技球の有無を検出することで、検出精度を維持することができる。
【００１４】
請求項３に記載の発明は、前記請求項１又は請求項２に記載の発明において、前記センサホルダ部には、前記球検出センサから取り出される信号線を、前記遊技盤の裏面側と対向する端面から反対側の端面に取り回した状態で保持するフック部が設けられていることを特徴としている。
【００１５】
請求項３に記載の発明によれば、センサホルダ部の第２の案内路と遊技盤裏面側とは第１の案内路の長さ分の空間があり、この空間を有効利用するため、球検出センサの検出回路部（球通過部と並設）を配置する。すなわち、球検出センサは薄肉で平面視が長方形の箱型のパッケージによって被覆されており、その長手方向一端部に遊技球が通過する通過孔が設けられ、他端部に検出回路部が並設された構造となっており、検出回路部を前記空間に配置することで、入賞装飾装置全体の取付スペースをコンパクトにすることができる。
【００１６】
ところが、検出回路部側のパッケージ端面からは、外部へ信号を送出する信号線が出ているため、この信号線が遊技盤裏面に向いた状態となる。そこで、この信号線を反対側の端面へ取り回した状態でフックによって保持することで、組み付けや配線の作業時に邪魔になることなく作業性が向上する。
【００１７】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００１８】
内枠１４には、複数の表示灯６２、６３やフロントスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００１９】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２０】
一体皿２６は、その一側部（図１の左辺部）が内枠１４に対して開閉可能に取付けられている。一体皿２６の前面には、左側下部に灰皿２８が配置され、右側下部には発射装置（図示省略）から発射する打球の飛距離を調整するための発射ハンドル３０が設けられている。
【００２１】
また内枠１４の窓部には、遊技盤載置台に載せて交換可能とされた遊技盤３２が窓部に対応して設置されている。
【００２２】
図２に示される如く、遊技盤３２は、外バンド３６及び内バンド３８によって囲まれた略円形状の遊技領域４０が形成されている。
【００２３】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２４】
図３乃至図６には、本実施の形態に係る入賞装置４９の詳細構造が示されている。
【００２５】
入賞装置４９は、遊技盤３２の表側に配設され、遊技盤３２に沿って落下してくるパチンコ球を受け入れる入賞口１００が設けられると共に遊技盤３２の装飾としての機能を併せ持つ入賞装飾部１０２と、前記入賞装飾部１０２の入賞口１００に入賞したパチンコ球を電気的に検出すると共に所定方向へ案内するためのセンサホルダ部１０４とで構成されている。
【００２６】
入賞装飾部１０２は、遊技盤３２に設けられた貫通孔（図示省略）に収容される部分と、遊技盤３２から突出する部分との境界部となる薄肉のベース部１０６が設けられており、入賞装飾部１０２は、遊技盤３２の表側から前記貫通孔に対応させることで、このベース部１０６がストッパとなり遊技盤３２に密着されている。このため貫通孔は完全に隠遮された状態となる。
【００２７】
ベース部１０６からは、入賞開口部１００Ａが略Ｕ字型とされた入賞口１００が突出されている．この入賞口１００の底部は球面状に形成されており、前記入賞開口部１００Ａから入賞したパチンコ球を円滑に遊技盤３２の裏側へ方向転換するようになっている。これにより、パチンコ球はベース部１０６よりも後方へと送り出される。
【００２８】
ベース部１０６の裏面には、第１の案内路１０８が設けられている。この第１の案内路１０８は、断面が半円弧状の樋型で、緩斜面のスロープとなっており、前記入賞口１００から送り込まれたパチンコ球を略水平状態で遊技盤３２の奥行き方向へ転動する役目を有している。この第１の案内路１０８を挟むようにベース部１０６からは一対の円柱部（円筒部でもよい）１１０が突出形成されている。この円柱部１１０の突出方向端面には、ボス孔１１０Ａが形成されている。
【００２９】
この一対の円柱部１１０は、センサホルダ部１０４がビス１１２によって取り付けられている（詳細後述）。
【００３０】
センサホルダ部１０４は、前記第１の案内路１０８によって転動してくるパチンコ球を鉛直方向に方向転換するガイドキャップ１１４が形成されており、このガイドキャップ１１４は、前記第１の案内路１０８の上方に覆い被さるようにせり出している。このため、第１の案内路１０８によって案内されるパチンコ球は脱落することなく、確実にガイドキャップ１１４によって鉛直方向に落下する。すなわち、ガイドキャップ１１４は、第２の案内路として機能する。
【００３１】
鉛直方向に落下するパチンコ球の移動軌跡途中には、球検出センサ１１６が配設されている。この球検出センサ１１６は、ガイドキャップ１１４と一体形成されるホルダ部１１８に収容されている。
【００３２】
ホルダ部１１８は断面が略コ字型に形成されており、この略コ字型の空間が球検出センサ１１６の収容部１１８Ａとなっている。
【００３３】
球検出センサ１１６は、薄肉で平面視で長方形の箱型のパッケージ１１６Ａによって被覆されている。パッケージ１１６Ａにおける前記収容部１１８Ａに収容される側の長手方向一端部に、パチンコ球が通過する通過孔１１６Ｂが設けられ球検出部となっている。また、長手方向他端部には、球検出部での検出状態を外部へ信号として送出する検出回路部が収容されている
この検出回路部にはは信号線（リード線）１２０の一端が接続されており、この信号線１２０は、パッケージ１１６Ａの長手方向他端部側端面から外部へ配線されている。
【００３４】
このような構造の球検出センサ１１６は、前記収容部１１８Ａに収容する際には、前記入賞装飾部１０２側に向けられた面側から、前記通過孔１１６Ｂが設けられた側（一端部側）を先頭にして挿入されるようになっている。この入賞装飾部１０２側に向けられた面側には、爪部１２２（図５参照）が形成されており、完全に挿入されることで、パッケージ１１６Ａの挿入方向後端部が係合し、挿入状態が保持されるようになっている。
【００３５】
また、ホルダ部１１８の外側面には、フック１２４が形成されている。このフック１２４には前記信号線１２０を突出端面からホルダ部１１８に沿って取り回し、引っ掛けられるようになっている。
【００３６】
前記ガイドキャップ１１４の外側の左右側面には、一対のフランジ１２６が形成され、円孔１２６Ａが設けられている。この一対のフランジ１２６は、それぞれ前記入賞装飾部１０２の一対の円柱部１１０に対応しており、同軸上に配置した状態でビス１１２を円孔１２６Ａに挿入し、ボス孔１１０Ａに螺合することで入賞装飾部１０２とセンサホルダ部１０４とを組み付けることがでできる。また、この状態では、入賞装飾部１０２のベース部１０６と、センサホルダ部１０４のガイドキャップ１１４の先端部とによって遊技盤３２を挟持するため、入賞装置４９は、遊技盤３２上の所定の位置に位置決め固定される。
【００３７】
以下に本実施の形態の作用を説明する。
【００３８】
まず、通常遊技の流れを説明する。
【００３９】
遊技者がハンドル３０を把持し、発射のための操作を行なうと、このハンドル操作量（回転量）に応じた強度で、パチンコ球が打ち出される。
【００４０】
パチンコ球が打ち出されると、外バンド３６及び内バンド３８に案内されて盤面３２の釘や風車等に当接しながら、予測し得ない移動をしながら落下していく。
【００４１】
パチンコ球は落下しながら、通過装置４８に通過したり、入賞装置４９に入賞することで、普通図柄の抽選や所定数の賞球を受けることができる。
【００４２】
ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００４３】
抽選の結果が当りの場合は、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００４４】
上記遊技に適用される部品の１つである入賞装置４９は、新台の入れ替え等があった場合、球検出センサ１１６等は再利用できるため、入賞装置４９を分解して、再利用できる部品とできない部品とを分ける必要がある。
【００４５】
この場合、従来では、遊技盤３２から突出する入賞装飾部側に球検出センサ１１６が設けられており、遊技盤３２の裏面側に設けられた案内路とはセットとして設計されていた。このため、そのほとんどを再利用できない部品であり、かろうじて球検出センサ１１６のみを再利用しているにすぎなかった。
【００４６】
これに対して、本実施の形態では、球検出センサ１１６を、遊技盤３２の裏面側に配設されるセンサホルダ部１０４に取付けたため、このセンサホルダ部１０４は、サブアッセンブリとして分解することなく、再利用することができる。
【００４７】
すなわち、ビス１１２を取り外して、入賞装飾部１０２と分離し、新たな装飾がなされた別の入賞装飾部に交換すればよい。
【００４８】
一方、従来構造として、入賞口、装飾部並びに球検出センサ１１６の取付ホルダ等、全てが一体となっている入賞装置においては、球検出センサ１１６を保持するためのフック（爪）の存在によって、型抜き用の孔を装飾面側に設ける必要があったため、この孔を隠すためのシールが必要であったり、この孔による電磁波シールド性の低下を招いていた。
【００４９】
これに対して本実施の形態では、２部材構造とし、球検出センサ１１６を遊技盤３２の裏面側に位置するセンサホルダ部１０４に保持するようにしたため、入賞装飾部１０２に型抜き用の孔が不要となり、デザイン上の自由度の制限を解消することができる。
【００５０】
また、本実施の形態のセンサホルダ部１０４は、球検出センサ１１６をホルダ部１１８に挿入する際、入賞装飾部１０２に対向する側から挿入し、第１の案内路１０８の下部（ホルダ部１１８と遊技盤３２の裏面側との間の空間）に球検出センサ１１６の一部（検出回路部）を配置したため、組み付け後の入賞装置４９をコンパクトにおさめることができる。
【００５１】
さらに、このような球検出センサ１１６の挿入により、信号線１２０が突出端面が遊技盤３２面と接近することになる。そこで、球検出センサ１１６のホルダ部１１８への挿入後、予め信号線１２０をホルダ部１１８の側面に沿って取り回し、フック１２４に引っ掛けるようにしたため、入賞装飾部１０２との組み付けや、配線作業時に邪魔になることがなく、作業効率が向上する。
【００５２】
以上説明したように本実施の形態では、入賞装置４９を入賞装飾部１０２とセンサホルダ部１０４との２部材構成とし、球検出センサ１１６をセンサホルダ部１０４側に保持することで、２部材構成による不具合であった再利用部品の時の無駄を省くことができる。また、一体化することによるデザイン上の自由度の制限並びに電磁波シールド性の低下を解消することができる。すなわち、２種類の従来構造のそれぞれの不具合を解消することができる。
【００５３】
なお、本実施の形態では、入賞装置４９を例にとり説明したが、始動口４６等、入賞を電気的に検出する球検出センサ１１６が設けられた他の入賞装置にも適用可能である。
【００５４】
【発明の効果】
以上説明した如く本発明では、型抜き用の孔をなくすべく２部材構成として球検出センサの電磁波シールド性を向上し、かつ何れか一方を共有部品として再利用することができるという優れた効果を有する。
【図面の簡単な説明】
【図１】本実施の形態に係るパチンコ遊技機の正面図である。
【図２】本実施の形態に係る遊技盤の正面図である。
【図３】本実施の形態に係る入賞装置を示し、（Ａ）が上面図、（Ｂ）が正面図、（Ｃ）が図３（Ｂ）の右側面図である。
【図４】本実施の形態に係る入賞装置の分解斜視図である。
【図５】本実施の形態に係る入賞装置の図４とは別角度から見た分解斜視図である。
【図６】本実施の形態に係る入賞装置の組み付け状態での斜視図である。
【符号の説明】
１０    パチンコ機（遊技機）
３２    遊技盤
１００    入賞口
１０２    入賞装飾部
１０４    センサホルダ部
１０６    ベース部
１０８    第１の案内路
１１４    ガイドキャップ（第２の案内路）
１１６    球検出センサ
１１６Ａ    パッケージ
１１６Ｂ    通過孔
１１８    ホルダ部
１１８Ａ    収容部
１２０    信号線
１２２    爪部
１２４    フック
【図１】
2004222769.tif 000003
【図２】
2004222769.tif 000004
【図３】
2004222769.tif 000005
【図４】
2004222769.tif 000006
【図５】
2004222769.tif 000007
【図６】
2004222769.tif 000008